(57)【特許請求の範囲】
【請求項１】
タイマー；
上記タイマーを駆動する複数のスイッチング手段；
可聴信号の無線送信用に競技審判員によって携帯されるのに適した携帯可能な複数の遠隔無線送信機；
上記競技審判員によって携帯されるように設けられて上記タイマーを駆動するために上記競技審判員の決定を示す可聴信号を発生する複数の信号発生装置；
上記可聴信号に応答して上記無線送信機によって送信された無線制御信号を受け取るとともに上記無線制御信号に応答して遠隔スイッチング信号を発生する無線受信機；
上記遠隔スイッチング信号に応答して上記タイマーを操作する手段；
とから構成される遠隔操作可能な運動競技用計時システムであって、
上記無線受信機と上記タイマーが、運動競技領域の境界よりも外側に位置されており、
各可聴信号に応答して無線送信機が異なる搬送周波数を発生し、
上記無線受信機が異なる搬送周波数の各々に同調する個別の回路を含む遠隔操作可能な運動競技用計時システム。
【請求項２】
上記無線制御信号又は可聴信号の周波数により上記競技審判員を特定する手段が設けられており、
遠隔スイッチング信号が、上記競技審判員によって発せられた可聴信号に、自動的に瞬時に応答するようにされている請求項１記載の遠隔操作可能な運動競技用計時システム。
【請求項３】
上記信号発生装置がホイッスルであり、上記無線送信機が上記ホイッスル近くで上記競技審判員によって携帯されるように設けられたマイクロホンを含む請求項１又は２記載の遠隔操作可能な運動競技用計時システム。
【請求項４】
上記タイマーが１秒単位で表示するデジタルタイマーである請求項３記載の遠隔操作可能な運動競技用計時システム。
【請求項５】
上記競技審判員の複数の各々が上記無線送信機の１つを携帯し、上記タイマーがいずれかの無線送信機から受け取った最も早い無線制御信号に応答する請求項３記載の遠隔操作可能な運動競技用計時システム。
【発明の詳細な説明】
発明の技術分野
この発明はバスケットボール競技に利用されるデジタル表示時計等の遠隔操作可能な運動競技用計時システムに関する。
発明の背景
バスケットボール等の多くの運動競技において、競技は特定時間のピリオドに分けられている。しかし、競技審判員によって宣告されるフアール等、ある種の動作は競技用時計の停止を要求する。時計停止のためのシグナルは競技審判員によって鳴らされるホイッスルであり、これを聞くと公式計時係員はストップボタンを手動操作することによって応答して競技用時計を停止させる。競技を再開する場合、公式計時係員がスタートボタンを押して競技用時計の作動を再開させ、その時のピリオドの時間を計時し、あるいは最終ピリオドの場合には競技の残り時間を計時する。
競技の得点はしばしば非常に競っているので、残り時間は得点上の劣勢を優勢に挽回できるか否かをしばしば決定することとなる。時間は通常は秒単位又は１／１０秒単位の計時を利用したデジタル表示時計上でカウントされる。
フロアー上の審判員がホイッスルを鳴らしたのを聞いて競技用時計を手動で停止させ又は他のタイマー（例えば、ショット時計）を始動させるまでの公式計時係員の応答時間の遅れは、しばしば簡単に克服することのできない人的誤差として受け取られていた。特に非常に競ったバスケットボール競技の残り秒数がほとんどない場合、そのような人的誤差を競技用時計の操作に見積もること、及び判定の結果、競技用時計をリセットして例えば１秒又は数秒の時間を付加し、公式計時係員の応答における人的誤差及び遅れを補償する必要があることについてフロアー上の３人の競技審判員の協議を必要とする状況になることは珍しいことではない。競技の最終結果を逆転するような得点がピリオド時間内の１秒程度の短い時間で可能であるので、計時における正確さはルールに及び競技の実際の結果に正確に支持されることについての決定的な意見の論争及び食い違いを招来しうる。
運動競技におけるある種の他の出来事はまたショット時計等で計時され、コート内へのパスの投げ込みがなされる。時間の計時はフットボール、レスリング、ホッケー及びラクロス等の他の運動競技においても非常に重要である。
その結果、競技審判員のホイッスル信号に応答する正確で、十分に瞬間的で、しかも高信頼性の自動タイマーが非常に望まれている。
しかし、自動遠隔操作計時システムは、観客、バンド、チアリーダー及び場内放送システム等の多数の発生源からの可聴騒音による障害；テレビジョンラメラ及び送信機、警備員やテレビ局員から及びその両者間の音声伝達用送信機、場内放送システム等、多数の電気的システムからの電気的障害の存在するような好ましくない、しかも困難な環境で操作されなければならない。さらに複雑なことにはバスケットボール競技等の運動競技はしばしば密閉された運動競技場で行われ、障害を閉じ込めるとともに、エコーや他の重畳されたパターンの障害を引き起すこととなる。
問題をさらにまた複雑にすることには競技審判員が絶えず競技領域を動き回り、走り廻ってさえおり、彼らのホイッスル信号は各種の状況で、しかも動いている複数のプレイヤーに囲まれ、移動しながら発せられる。さらに、仮に自動遠隔制御が失敗した場合にも公式計時係員がまたタイマーを操作しうることが望ましい。さらにまた、テスト機能が組み込まれていて競技の前に計時システムの操作をテストするのがより望ましい。
要約すれば、運動競技の大きな騒音や電気的障害の中で移動する審判員のホイッスルに自動的に瞬間的に応答する計時システムを提供できることが非常に望まれる。
発明の概要
本件発明の目的は多数の競技審判員の可聴信号に自動的に応動する改良された遠隔操作可能な運動競技用計時システムを提供することである。
本件発明の他の目的は競技領域を移動している複数の競技審判員のいずれかによって鳴らされたホイッスルに応動する遠隔操作可能な運動競技用計時システムを提供することである。
本件発明のさらにまた他の目的は無線による接続を利用し、又干渉する可能性のある無線信号の存在下で信頼性のある操作が可能である遠隔操作可能な運動競技用計時システムを提供することである。
本件発明のさらに他の目的は競技審判員が通常の審判動作を損なうことなく携帯するのに適するとともに、自動操作及び手動操作の両方が可能である遠隔操作可能な運動競技用計時システムの信号アクチュエータを提供することである。
本件発明のさらにまた他の目的は組み込みテスト機能を具体化し、公式計時係員の手動操作に関連して操作されうる遠隔操作可能な運動競技用計時システムを提供することである。
本発明の１つの形態によれば、遠隔操作可能な運動競技用計時システムは競技審判員に携帯された携帯可能な無線送信機によって発生された無線制御信号によって並立操作できる手動操作式デジタルタイマーを含み、公式計時係員の位置に及び／又はその位置で接続された１又は複数の固定無線受信機に無線制御信号を送信する審判員のホイッスル近くのマイクロホンを含む。受信機は無線制御信号に応答してスイッチング信号を発生し、騒音及び電気的障害の存在下にもデジタルタイマーを自動的に操作するように設けられている。
複数の競技審判員によって携帯された各無線送信機は異なる周波数に調整され、対応して調整された受信機は競技領域から離れて配置され、鳴らされたホイッスル又は公式計時係員によるストップボタンの手動操作に応答して計時ストップ制御信号を発生するようになっている。手動ストップ信号はホイッスルとは異なる周波数で音声基板によって発生され、無線受信機でバンドパスフィルターがストップ信号を通過させる。
公式計時係員による手動操作は遠隔発生された自動ストップ及びスタートの制御に対して並列に接続された手動ストップ及びスタートのボタンを通じて可能である。遠隔操作タイマースタートの制御がまた含まれる。
【図面の簡単な説明】
本発明の他の目的及び利点は添付図面を参照し、後述の詳細な説明及び添付の請求の範囲を読解することにより明らかになるであろう。添付図面において−−
第１図は本件発明を具体化する遠隔操作可能な運動競技用計時システムのブロック図である。
第２図は第１図の一部を詳細に示す概略図である。
第３図は第１図のコントローラ部分の概略図である。
図示された実施形態の詳細な説明
本件発明は特別の実施形態が示される添付図面を参照して以下でより一層十分に説明されるが、当業者がこの発明の好ましい結果をまだ確保しうる限り上述の発明を改良しうることをまず理解されるべきである。従って、後述の説明は当該技術分野の当業者を導くための一般的な教示のための開示であり、本件発明を限定するものではないことを理解されるべきである。
まず、第１図を説明する。遠隔操作可能な計時システム１は運動中の出来事を審判する競技審判員によって携帯された競技用ホイッスル２ａ、２ｂ及び２ｃのいずれかの発生音又は吹き鳴らしに応答してタイマー表示時計１０を駆動するように設けられている。ホイッスル２ａ、２ｂ又は２ｃの発生音はタイマー表示時計１０を駆動、例えば停止させるための信号を構成する。タイマー表示時計１０は１／１０秒の計時能力を有するユニテック(Unitek)デジタル表示時計であろう。ホイッスル２ａ、２ｂ及び２ｃは全米バスケットボール協会（以下、ＮＡＢ）において使用される規格ホイッスルであり、又大学及び高校バスケットチームによっても利用されている例えばフォートロン社（Fortron Inc.）製のフォックス４０ホイッスルであろう。かかるホイッスルは可動部分がなく、約３１５０Ｈｚの周波数で可聴信号を発生する。対象となる計時システムは特に３１５０Ｈｚに調整されることによって応答するように形成されるあろうが、この計時システムは他の周波数の他のホイッスル又は可聴信号発生装置に調整されてすぐに作動されるであろう。
バスケットボール競技において、フロアー上には３人の審判員がおり、彼らの誰かがタイマー表示時計１０を停止させるためにシグナルを送るであろう。しかしながら、対象となる発明はフットボール、レスリング、ホッケー及びラクロス等の他の種々のスポーツ競技、あるいは異なる数の審判員を用いる他の競技に容易に適用できる。競技審判員の各々はホイッスル２ａ、２ｂ及び２ｃに接近してマイクロホン３ａ、３ｂ及び３ｃを携帯している。競技審判員は代表的には競技の間、歯にホイッスル２ａ、２ｂ及び２ｃをくわえており、マイクロホン３ａ、３ｂ及び３ｃは審判員によって代表的にはその首周りに掛けられたホイッスルの紐に一般的にはクリップによって取付けられているか、又は代わりにマイクロホンはホイッスルに比較的接近させるために審判員の着用したシャツの首部分近くにクリップされているであろう。７ａ、７ｂ及び７ｃとして示されるばねクリップはマイクロホン３ａ、３ｂ及び３ｃを各々競技審判員に取付けるために設けられるであろう。
競技審判員の各々はまた無線送信機４ａ、４ｂ及び４ｃを携帯し、無線送信機は適切なクリップ又はファスナー手段１４ａ、１４ｂ及び１４ｃによって審判員の被服又はベルトに一般的には取付けられるであろう。無線送信機４ａ、４ｂ及び４ｃは一般的には異なる離れた搬送周波数又は中心周波数、例えば１９５．６ＭＨｚ、２０８．２ＭＨｚ、２１３．２ＭＨｚ又は他の適切な周波数で作動するように選択されたサムソン(Samson)モデルＳＴ−２等、演技者や俳優によって通常利用される市販の無線送信機であろう。その周波数はテレビジョン用の送信機周波数及びその高調波と異なる周波数となるように、及び運動競技場内に設けられ、警備、場内放送及びテレビ局員の連絡のために用いられる他の無線及び電気的な情報伝達設備とは異なる周波数となるように選択される。例えば、室内バスケットボール設備等のスタジアム内に存在するテレビジョン信号は８０ＭＨｚで操作され、３次の高調波が２４０ＭＨｚであり、その周波数は対象とする発明の情報伝達システムとの電気的干渉を最少にすべく避けられるべきである。
マイクロホン３ａ、３ｂ及び３ｃは一般的には小型計量であって７ａ等のクリップを含み、それらが各々接続されるサムソンモデルＳＴ−２の周波数変調（以下、ＦＭ）送信機４ａ、４ｂ及び４ｃと上手く動作することが分かっているクラウンカントリーマン(Crown Countryman)であろう。アンテナ６ａ、６ｂ及び６ｃは各々送信機４ａ、４ｂ及び４ｃ上にマウントされ、各々無線電磁波８ａ、８ｂ及び８ｃを無線受信機１１ａ、１１ｂ及び１１ｃに向けて送信する。受信機１１ａ、１１ｂ及び１１ｃは受信部分１１ａ、１１ｂ及び１１ｃが各々送信機４ａ、４ｂ及び４ｃと同一周波数で作動するサムソンモデルＳＲ−２２の市販受信機である。モデルＳＲ−２２受信機１１ａ、１１ｂ及び１１ｃの各々は１２及び１３等の一対のアンテナを含み、これらは受信機に指向及び追尾能力を付与し、運動競技場の競技領域のいずれからの無線電波８ａ、８ｂ及び８ｃをも確実に受信できるようにしている。受信機１１ａ、１１ｂ及び１１ｃ、及びこれと共同する後述の制御装置はバスケットボール競技において一般的には競技領域又はフロアーの中央直近に位置される公式計時係員の前方のテーブル上に設置される。
サッカー等の広い競技領域又はフィールドを使用する運動競技において、１１ａ、１１ｂ及び１１ｃ等の無線受信機は８ａ、８ｂ及び８ｃ等の無線信号の受信の信頼性を確保するためにフィールドの周りに配置されるのが望ましい。指向性アンテナシステム、及び各受信機に結合されたアンテナ１２及び１３の到達範囲は到達範囲を増大させるように配置されることができる。これらの遠隔操作受信機は公式計時係員の位置で、無線受信機の全ての出力端がミキサー１５の入力端１４ａ、１４ｂ及び１４ｃに接続されている受信機に対応させることもできる。１１ａ、１１ｂ及び１１ｃ等の無線受信機の数及び位置は特定の競技領域から無線受信の高い信頼性を確保するめに変更されることもできる。例えば、無線受信機の１つ以上が同一搬送周波数に、即ち審判員Ａ、審判員Ｂ又は審判員Ｃ等、同一の競技審判員からの無線信号を受信するように調整されることができる。
送信された無線信号８ａ、８ｂ及び８ｃは無線受信機１１ａ、１１ｂ及び１１ｃの各々で受信されて増幅され、次に信号１４ａ、１４ｂ及び１４ｃとしてミキサー１５に送られ、さらに高バンドパスフィルター１６及び低バンドバスフィルター１７を経てコントローラー２０に送られる。低バンドパスフィルター１７は４００Ｈｚの中心周波数に調整される一方、高バンドパスフィルター１６は３１５０Ｈｚの中心周波数に調整される。バンドパスフィルター１６は従ってホイッスル２ａ、２ｂ及び２ｃの通常の周波数に調整されて受信したホイッスル信号を選択的に通過させる一方、他の周波数を遮断する。低バンドパスフィルター１７は各送信機４ａ、４ｂ及び４ｃのボタン５ａ、５ｂ及び５ｃの操作による競技審判員の手動によって発生される４００Ｈｚ信号を受け取って通過させるように調整される。バンドパスフィルター１６及び１７は通過帯域外のいかなる信号も減衰させ、従って望ましくない電磁気信号及び無線干渉を除去する。表示時計１０の手動操作のための４００Ｈｚ信号の発生は第２図に関連して後により詳細に説明される。
３１５０Ｈｚの第１の無線制御信号１９はホイッスル２ａ、２ｂ又は２ｃの吹き鳴らしによる４ａ、４ｂ及び４ｃ等のＦＭ送信機の搬送周波数の周波数変調に応答して高バンドパスフィルター１６の出力端からコントローラー２０に与えられる。第２の無線制御信号１８は競技審判員による手動制御ボタン５ａ、５ｂ又は５ｃの手動操作に応答して低バンドパスフィルター１７の出力端からコントローラー２０に与えられる。バンドパスフィルター１６及び１７はマーチャンドエレクトロニクス（Marchand Electronics）によって市販され、ＸＭ−１６クロスオーバーとして特定されるものであろう。ミキサー１５はラジオデザインラボラトリーズ（Radio Design Laboratories）によって市販され、モデルＳＴ  ＭＬＸ−３として特定される３入力ミキサーである。
コントローラー２０は公式計時係員の前方のテーブル上に配置され、従来の手動タイマースタートボタン２１及び手動タイマーストップボタン２２を含み、公式計時係員による通常の操作方法でタイマー又は表示時計１０を独立的に一般的に作動スタートさせるとともにストップさせることができるようになっている。公式計時係員によるタイマースタートボタン２１及びタイマーストップボタン２２の操作によって各々発生されるスタート及びストップの信号に加え、第１の無線制御信号１８及び第２の無線制御信号１９が送信機４ａ、４ｂ又は４ｃの搬送周波数の周波数変調によってコントローラー２０に与えられ、自動的に、十分に瞬間的に、しかも競技審判員によるホイッスル２ａ、２ｂ又は２ｃの吹き鳴らし時に表示時計１０を操作する場合における公式計時係員の応答時間に影響されずに、交互に、並列的に遠隔操作制御を与えるようになっている。
タイマーストップボタン２２等のプッシュボタンが公式計時係員によって手動操作される場合に固有の累積的遅延に起因して時間遅れがあることを理解されるべきである。公式計時係員が競技領域の中央コート又は中央領域近くに位置していると仮定しても、公式計時係員は大学バスケットボールの場合にはフロアーの遠方コーナーの審判員から７０フィート以上、フットボール又はラクロス等の運動競技の場合には審判員が吹き鳴らしたホイッスルから２００フィート又はそれ以上離れている。通常の圧力及び温度における音の伝播は１１００フィート／秒の程度であるので、ホイッスルから発生された音が公式計時係員の耳に達するまでに必然的に固有の遅れが存在する。さらにそれに付加される遅延はホイッスルを特定し又は認識する場合における公式計時係員の反応時間、及びタイマー表示時計１０をストップさせるために手動ストップボタン２２を押すことによる手動応答における公式計時係員の反応時間である。その累積された遅延は俊敏な応答反射能力を有する熟練した公式計時係員の場合でさえ１秒近くの程度である。審判されたバスケットボール競技においては競技を通じて８０又はそれ以上の程度でホイッスルが吹き鳴らされて時計のストップを必要とすると考えられる。０．６秒の優れた手動応答時間の公式計時係員の場合、これは競技時間が４０分のみである競技においてほぼ１分又はそれ以上の時間ロスに相当する。
例えば、競技が時間切れに近く、１／１０秒単位で計時され、例えば競技チームの得点が１点又は２点だけ離れているような競ったバスケットボール競技においてさらに重要なことには、バスケット等の１つの得点が競技の最終結果をひっくり返せることである。数秒又は１０分の数秒の残り競技時間はチームが１秒又はそれ以下の時間でコート内にパスを投げ込んで得点できるので、非常に重要となる。そのように非常に競った競技の最後の数秒において公式計時係員の適切な反応が論争の的となり、競技審判員が表示時計１０に示された残り時間に対し１秒又はそれ以上の時間を付加しあるいは減少させることによって時間を変更すべきか否かを協議し決定しなければならないことは珍しいことではない。
ストップボタン２２の公式計時係員による手動操作によって招来される時間的累積遅延に比較し、本件発明は正確さ、迅速さ（基本的には瞬間的）、及び無線信号８ａ、８ｂ及び８ｃによって与えられた無線による接続を通して表示時計１０のより一致した動作を与える。マイクロホン３ａ、３ｂ及び３ｃが共同される各ホイッスル２ａ、２ｂ及び２ｃに近接して、特に約２インチ又はその程度のみの位置に配置されるので、両者間の音の伝達は公式計時係員の耳に到達するに必要な時間に比して１００倍又はそれ以上の素早さと同じ程度の大きさで低減される。しかも、無線電波は光の速度、特にほぼ１８６００マイル／秒で移動し、電気的スイッチング回路の動作は基本的には瞬間的であるので、その後の反応時間は基本的にはない。
公式計時係員がバックアップ及び二重チェックとして遠隔操作と並列に通常の方法で手動ストップボタン２２を利用することが望ましく、又可能であるが、実際には公式計時係員による手動ストップボタンの操作の前に遠隔操作用の無線制御信号１８及び１９が必ず表示時計１０をストップさせるであろう。
また、ある状況においては競技審判員が各送信機４ａ、４ｂ及び４ｃ上の５ａ、５ｂ及び５ｃ等のプッシュボタンの操作を通じて時計を手動でストップできることが望ましい。競技時計と対比してみるとショット時計等の時計を再スタートさせるような出来事が多いので、１又は複数の付加的な手動スタートボタン２６ａ、２６ｂ及び２６ｃや関連する音声又は周波数信号発生装置はフロアー上の競技審判員が競技時計又はショット時計をまた再スタートさせうるように設けられることができる。各送信機４ａ、４ｂ及び４ｃのプッシュボタン２６ａ、２６ｂ及び２６ｃはタイマー表示時計１０をスタートさせるために回路基板２５ａ、２５ｂ及び２５ｃ上の付加的な音声回路と共に設けられるであろう。
発光インジケータ２３ａ、２３ｂ及び２３ｃは各送信機４ａ、４ｂ及び４ｃから受け取ったホイッスル信号に応答して組み込みテスト回路として作動し、各無線送信機４ａ、４ｂ及び４ｃからの信号が各々受け取られたこと、及び／又はそれらが発光しないことにより特定の送信機の無線送信における欠陥を表示することを示すように設けられている。他方、競技の前に、あるいは競技の中断中にホイッスル２ａ、２ｂ及び２ｃを次々と吹き鳴らし、各ホイッスルがタイマー時計１０を停止させ、タイマー時計が各ストップ後に再スタートされるか否かを観察することにより、計時システム１はテストされることができる。
手動ストップボタン５ａ、５ｂ及び５ｃ、又は手動スタートボタン２６ａ、２６ｂ及び２６ｃの操作に応答して別個の４００Ｈｚ信号又は音声信号を発生させるため、１又は複数の別個の音声基板又は回路基板２５ａ、２５ｂ及び２５ｃが市販の周波数変調送信機４ａ、４ｂ及び４ｃに付加され、ストップ及びスタートの信号が異なる周波数信号を発生するようになっている。この４００Ｈｚ手動ストップ音声基板２５ａ、２５ｂ及び２５ｃの構成は第２図に示されている。第２図において、音声基板２５ａは示された回路内にＬＭ３５８半導体の半分を利用するとともにその回路内の複数の抵抗及びコンデンサーが示された値によって特定された半導体発振回路を含む。９Ｖのバッテリー３５はまた送信機４ａの電気回路の残りの部分にＤＣパワーを供給し、分圧抵抗３６、３７を介して接続されて中央タップ３８からＤＣパワーを音声回路に印加するようになっている。周波数４００Ｈｚの発振は抵抗４１及びカップリングコンデンサー４２の直列出力回路を介して４００Ｈｚ出力信号を出力してＦＭ信号又は音声を与え、アンテナ６ａを介して送信機４ａから受信機部分１１ａにＦＭ無線信号が送信され、低バンドパスフィルター１７の出力端に遠隔手動ストップ信号又は第２の無線制御信号を出力させるようになっている。
４００Ｈｚとは異なる周波数であるが、２５ａ等の付加的な発振回路は、各送信機４ａ、４ｂ及び４ｃ内の音声回路基板２５ａ、２５ｂ及び２５ｃ、又は別個の音声基板上に設けられて異なる無線スタート信号を発生し、これは異なる周波数であるが、公式計時ステーションで１６及び１７等の付加的なバンドパスフィルターと組み合わされ、タイマー表示時計１０に第３の無線制御信号を手動スタートボタン２１と並列に与えることができる（無線制御信号１８及び１９の場合にはむしろ手動ストップボタン２３に並列である）。
第３図はコントローラー２０の詳細な回路を示す。第３図において、コントローラー２０は電気回路４５、４６と、スイッチ又は高速リレー４７とを含む。ホイッスル２ａ、２ｂ又は２ｃによって発生された第１の無線制御信号１９はダイオード５１及び抵抗５２を介してトランジスター５３に与えられる。手動スイッチ５ａ、５ｂ又は５ｃによって発生された第２の無線制御信号１８は同様にダイオード６１及び抵抗６２を介してトランジスター６３に与えられる。半導体回路５３及び６３の出力５４及び６４は各々第１の集積回路５６に与えられ、第１の集積回路はリード６８及び６９を介して第２の集積回路６６に接続されて矩形波のスイッチング出力信号７１を発生するフリップ・フロップ回路を構成し、スイッチング出力信号は回路内でスイッチ又は高速リレー４７に接続されたトランジスタ７３のゲートに抵抗７２を介して与えられる。高速リレー４７が作動されるとリレー切片７５が駆動されて端子７６及び７８間の回路を開成し、表示時計１０を停止又はストップさせる（第１図参照）。第３図に示されるように、手動ボタン５ａ、５ｂ又は５ｃの手動操作によって与えられる第２の無線制御信号１８、又はホイッスル２ａ、２ｂ又は２ｃの吹き鳴らしによっで与えられる第１の無線制御信号１９のいずれか一方も表示時計１０を停止させることができる。上述のように、２６ａ、２６ｂ又は２６ｃ等の付加的な手動操作ボタンは各送信機２ａ、２ｂ及び２ｃで２５ａ、２５ｂ及び２５ｃと類似の付加的な音声基板とともに用いられ、異なる周波数で発振されて表示時計１０をスタート又は再スタートさせ、必要な場合には合成制御信号が手動スタートボタン２１と並列に接続されて端子７６及び７８を介して回路を再閉成し、表示時計を駆動するようにさせることもできる。
本件発明はある種の好ましい実施形態に関連して説明されたが、構造、部品の配列や結合、材料の種類の各種の変更は本件発明の精神及び目的を逸脱しない限り宇野であると理解されるべきである。
【図１】
0003691513.tif 000002
【図２】
0003691513.tif 000003
【図３】
0003691513.tif 000004